(57)【要約】　　　（修正有）【課題】ワンタッチ型のくさび式引留クランプにおいて、電線のスリップを防止し、把持位置を正確に確保できるクランプを提供する。【解決手段】クランプ本体に、被覆の剥ぎ取られた電線Ｌを挿入し、くさび体６を固定しているピンを抜き取ることによって、ワンタッチで、くさび体６とクランプ部３との間に電線Ｌを介在させて挾持するようにしたくさび式引留クランプＣにおいて、前記くさび体６の線溝３０の線溝径Ｒは、前記電線Ｌの半径ｒより小さくする。【選択図】　　　図１
2004120925.tif 000002
【特許請求の範囲】
【請求項１】
くさび体とクランプ体との間に電線を介在させて挾持するようにしたくさび式引留クランプにおいて、
前記くさび体の線溝径は、前記電線の電線径より小さくしたことを特徴とするくさび式引留クランプ。
【請求項２】
請求項１に記載のくさび式引留クランプにおいて、電線は銅線であることを特徴とするくさび式引留クランプ。
【請求項３】
請求項１又は２に記載のくさび式引留クランプにおいて、電線をワンタッチで接続できるようにしたものであることを特徴とするくさび式引留クランプ。
【発明の詳細な説明】
【０００１】
【発明の属する技術分野】
本発明は、くさび式引留クランプに係り、特に、スリップを防止して電線の把持位置を正確に確保することができるようにしたワンタッチ型のくさび式引留クランプに関する。
【０００２】
【従来の技術】
従来、この種のくさび式引留クランプ（以下、「クランプ」という。）は、例えば、特開平２−３０７３２１号、同７−２１２９４７号及び同７−２３１５４５号公報等において知られている。また、本出願人は、先に、特願２００１−１９１３２７号において、活線作業を安全、かつ、容易に行うことができるワンタッチ型のクランプを提案している。図２（ａ）〜（ｃ）及び図３は、その先の提案に係るクランプＣを示すものであって、図２（ａ）は、そのクランプの平面図、同図（ｂ）はその正面図、同図（ｃ）はその右側面図、図３はくさび体の正面図である。
【０００３】
このクランプＣは、主として、鋳鉄製のクランプ本体１と、鋳鉄製のくさび体６′と、スプリング９とから構成されている。クランプ本体１は、その外観形状が１本の棒状体を呈していて、基部１ａの長手方向の一端部（図示の例では左端部）に、クランプＣを図示しない電柱に設けられた耐張がいし等からなるがいしのピンに取付けるためのクレビス式の取付部２が設けられている。そして、基部１ａの上面には、取付部２の近傍から基部１ａの他端部まで長手方向に延長するくさび案内面（以下、案内面で説明する。）５が形成されている。この案内面５は、くさび体６を移動自在に案内するものである。その基部１ａの他端側部分、すなわち取付部２と反対側部分には、案内面５の上方を覆う上あご１ｂが一体に形成されて、その上あご１ｂと基部１ａの長手方向の他端側部分（いわば下あご）とによって、断面形状がほぼＣ字形の側面に開口するトンネル状のクランプ部３が形成されている。図中、４は、そのクランプ部３の側面の開口である。
【０００４】
基部１ａに形成されている案内面５は、取付部２からクランプ部３方向に遠ざかるほど上あごの内面３´との間隔が狭くなるように上あご１ｂに対して傾斜されている。そして、案内面５上には、くさび体６′が摺動自在に備えられている。すなわち、クランプ部３内には、片くさび型のクランプが形成されている。
【０００５】
案内面５の傾斜及びくさび体６′の大きさは、図２（ｂ）の二点鎖線で示されるように、くさび体６が取付部２側に移動されたときに、図示しない電線（配電線）の芯線を開口４からクランプ部３の中に挿入して、くさび体６の上に載せることができるように、また、そのくさび体６がクランプ部３側に移動されたときは（図２（ｂ）の実線の状態）、そのくさび体６の上に載せられた芯線を上あご１ｂとくさび体６′の間に挾持できるように決められている。
【０００６】
このクランプＣには、クランプ本体１の長手方向に沿って延び、取付部２側が閉止され、かつ、クランプ部３側が開口されているとともに、案内面５に連通するスリット５′を有する挿入孔１ｃが設けられている。そして、この挿入孔１ｃにはスプリング９が挿入されている。
【０００７】
くさび体６の案内面５に接する側のほぼ中央部には、ビスからなる係止部６ｂが設けられている。この係止部６ｂはスリット５′を貫通し、挿入孔１ｃ内に位置する先端部が、スプリング９の力をくさび体６に伝えることができるように構成されている。この係止部６ｂは、くさび体６′がクランプ本体１から脱落するのを阻止する役目も果たしている。
【０００８】
くさび体６′の開口４側に位置する部分には、正面側（図２（ａ）においては下側）に突出する突起部６ａがくさび体６′と一体的に設けられている。したがって、くさび体６′は、この突起部６ａを取付部２側にスプリング９に抗して移動させると、くさび体６′を取付部２側に容易に移動させることができる（図２（ｂ）の二点鎖線で示されるくさび体６′参照）。
【０００９】
クランプ本体１の基部１ａに設けられた孔１０及びくさび体６′に設けられた孔１１は、くさび体６′が図２（ｂ）の二点鎖線で示されるように取付部２側にスプリング９に抗して移動されたとき、クランプ部３の開口４から芯線を挿入できる状態に図示しないピンで保持するときに用いられるものである。すなわち、基部１ａに設けられた孔１０とくさび体６′に設けられた孔１１とを一致させて、これら孔１０，１１にピンを挿入すると、くさび体６′のスプリング９による復帰移動を阻止することができる。また、図中、２０は、取付部２を図示しないがいしに取付けるためのピンであり、さらに、２１は、挿入孔１ｃのクランプ本体１の他端部側部分に設けられた、例えば割ピン等で構成されたストッパであって、挿入孔１ｃ内に挿入されたスプリング９が逸脱するのを防止するために用いられている。
【００１０】
上記構成のクランプＣに電線を固定する手順は、先ず、くさび体６′が取付部２側に保持された状態で（図２（ｂ）の二点鎖線の状態で）クランプＣの取付部２が図示しない電柱のアームに設けられているがいしに取付けられる。電線は、クランプＣに取付けられる部分の被覆がくさび体６′の長さより少し長く剥ぎとられて芯線が露出した状態とされている。
【００１１】
被覆の剥ぎとられた芯線をクランプ部３の側面の開口４から挿入し、孔１０，１１に挿入されているピンを抜き取ると、芯線は、ワンタッチでクランプＣに固定される。すなわち、ピンが抜取られると、くさび体６′は、スプリング９により復帰移動され、案内面５のテーパ面の作用によりクランプ部３のくさび体６′と上あご１ｂの内面３´との間隔が徐々に小さくなって、くさび体６′で芯線が挾持される。そして、電線に取付部２と反対方向に張力が加わると、くさび体６′のくさび効果により、芯線は、クランプ部３に強固に固定される。
【００１２】
特に、このクランプＣは、スプリング９がクランプ本体１の基部１ａ内に設けられるので、そのクランプ本体１の長手方向の長さを短くすることができ、全体的形状を小型化することができる。このため、電線をクランプＣで固定した後、そのクランプＣ４　を覆うための絶縁カバーは、既存の絶縁カバーを用いることができるなどの特長を有している。
【００１３】
【発明が解決しようとする課題】
しかしながら、上記提案のクランプは、従来のクランプと同様に、くさび体に設けられている線溝径は電線の電線径よりも少し大きく形成されているので、電線に張力が加わった際にクランプ内でスリップが発生し、電線の所定位置をクランプで掌握できないことがあった。
【００１４】
図４を用いてさらに説明すると、この図４は、開口４から配電線の芯線からなる電線Ｌを挿入したときの上記図２（ｂ）を右側から見たときの拡大図である。この先の提案に係るクランプＣ又は従来のクランプと同様に、くさび体６′の凹条の線溝６″の線溝径の半径Ｒ′は、電線Ｌの電線径の半径ｒよりも少し大きく形成されているので（Ｒ′＞ｒ）、くさび体６′で電線Ｌを挾持する際の接点が一点となり（図４のイ参照）、スリップが生じやすくなるという欠点があった。
【００１５】
そこで、本発明は、上記欠点を解決するためになされたものであって、その目的は、スリップが起きにくいようにしたクランプを提供することにある。
【００１６】
【課題を解決するための手段】
本発明に係るクランプは、上記目的を達成するために、請求項１に記載の発明は、くさび体とクランプ体との間に電線を介在させて挾持するようにしたクランプにおいて、前記くさび体の線溝径は、前記電線の電線径より小さくしたことを特徴としている。
本発明の請求項２に記載のクランプは、電線は銅線であることを特徴としている。
本発明の請求項３に記載のクランプは、電線をワンタッチで接続できるようにしたものであることを特徴としている。
【００１７】
【発明の実施の形態】
以下、本発明の実施の形態を図面に基づいて説明する。図１（ａ）は、一実施の形態に係るクランプを電線の伸張方向から見た側面図で、上記図４に相当している。また、図１（ｂ）は、くさび体で電線が挟持された状態を示す説明図である。
【００１８】
なお、上記従来と同一構成要素には同一符号を用い、これら構成要素については説明が重複するため新規な部分のみについて異なる符号を付して説明する。
【００１９】
図１（ａ）中、３０は、くさび体６に設けられた凹条の線溝である。この線溝３０の線溝径は、電線（配電線の芯線）Ｌの電線径よりも少し小さく形成されている。すなわち、このくさび体６の形状は、線溝径を除いた部分は、上記図２（ａ）〜（ｃ）及び図３のくさび体６′と同一であるが、このくさび体６に設けられている線溝３０の線溝径の半径Ｒは、電線Ｌの半径ｒよりも少し小さく形成されている（Ｒ＜ｒ）。具体的には、電線Ｌの半径５ｍｍの場合（１０φの電線の場合）、くざび体６の線溝３０の半径Ｒは４ｍｍである。
【００２０】
図１（ｂ）は、孔１０，１１（図２（ａ），（ｂ）参照）からピンが抜かれてくさび体６がスプリング９で移動し、電線Ｌを挟持した状態を示している。電線Ｌに取付部２（図２（ａ）〜（ｃ）参照）と反対方向に張力が加わると、くさび体６のくさび効果により電線Ｌはクランプ部３に強固に固定される。なお、電線Ｌの電線径に対してくさび体６の線溝径が小さすぎると、電線Ｌがくさび体６で挾持されたときの電線Ｌのわらいが大きくなり過ぎて好ましくないので、線溝３０の線溝径は、挟持する電線Ｌの電線径によってわらいが大きくなり過ぎないように決められる。
【００２１】
上述のように、くさび体６の線溝径を電線径より小さくすると、くさび体６で電線Ｌを挾持する際、図１（ａ）のイ，イで示されるように二点において接触される形となり、クランプＣ内における電線Ｌのスリップを効果的に防止することができる。したがって、電線Ｌの所定位置をクランプＣで掌握することが可能となる。
【００２２】
なお、上述の例では、クランプ部３側の線溝は、従来と同様にしたが、クランプ部３側の線溝径もくさび体６の線溝３０と同様に電線の電線径よりも小さく形成してもよい。この場合は、よりスリップを防止することができる。
【００２３】
また、くさび体６の線溝３０及びクランプ部３の線溝の両方又はいずれか一方に、線溝の長手方向と直交する方向に多数の凹凸条からなるナウリングを設けるようにしてもよい。この場合は、より電線の掌握力の高いクランプとすることができる。
【００２４】
【発明の効果】
本発明の請求項１に記載のクランプは、くさび体の線溝径は、電線の電線径より小さくしたので、電線のスリップを効果的に防止することができる。
本発明の請求項２に記載のクランプは、電線を銅線としたので、銅線からなる電線をスリップを防止しながら効率よく掌握することができる。
本発明の請求項３に記載のクランプは、電線をワンタッチで接続できるようにしたので、活線作業に好適なクランプとすることができる。
【図面の簡単な説明】
【図１】（ａ）は、本発明の一実施例に係るクランプを電線の伸張方向から見た側面図、（ｂ）は，くさび体で電線を挟持したときの説明図である。
【図２】（ａ）は、先の提案に係るクランプの平面図、（ｂ）は正面図、（ｃ）は右側面図である。
【図３】図２に示されるくさび体の正面図である。
【図４】先の提案に係るくさび体で電線を挾持したときの説明図である。
【符号の説明】
Ｃ　クランプ
１　クランプ本体
１ａ　基部
１ｂ　上あご
１ｃ　挿入孔
２　取付部
３　クランプ部
４　　開口
５　　くさび案内面
５′　スリット
６　くさび体
６ａ　突起部
６ｂ　係止部
９　スプリング
３０　線溝
Ｌ　　配電線（芯線）
【図１】
2004120925.tif 000003
【図２】
2004120925.tif 000004
【図３】
2004120925.tif 000005
【図４】
2004120925.tif 000006